(57)【特許請求の範囲】
【請求項１】
峰部水平条辺と谷部水平条辺とが傾斜ウエブ条辺を介して繰り返すように連続する一定の波形断面を有して長手方向へ延びる合成スラブ用デッキプレートの下方で天井下地を吊設するためのハンガーであって、前記傾斜ウエブ条辺に長手方向へ延びるように設けた補剛リブの対向する二つの凹み部を利用して前記峰部水平条辺の下方空間に架設され、中央部から各先端部に向けて下がった傾斜面部を備える横架部材と、該横架部材の中央部に位置するねじ孔に上端部を螺着させて垂下する下端部に吊り金具が装着されるようになっている吊りボルトとを備えるハンガー金具において、
前記横架部材は、前記吊りボルトを螺着させるねじ孔が形成された吊りボルト支持部材と、該吊りボルト支持部材とは別体であって該吊りボルト支持部材から左下方へ傾斜もしくは湾曲して延びる左傾斜部材と、該吊りボルト支持部材とは別体であって該吊りボルト支持部材から右下方へ傾斜もしくは湾曲して延びる右傾斜部材とを有し、
上記吊りボルト支持部材には、前記左傾斜部材と右傾斜部材とを連結する関節部材が設けられ、
前記左傾斜部材と右傾斜部材との間には、両傾斜部材の交差角を拡げる方向に弾発力を及ぼすコイルスプリングが介装され、
前記関節部材は、前記吊りボルトに直交する前記デッキプレートの長手方向において前記ねじ孔に向かうように延びて相互に対向する一対の連結軸であり、該連結軸は前記左傾斜部材と右傾斜部材との連結部に形成したフランジ部に枢支され、
前記左傾斜部材および右傾斜部材の基端には、連結部において吊りボルトとの干渉を避けるためおよび傾斜部材に一定範囲で自由な交差角を与えることができるようにするための切り欠きが設けられ、
前記コイルスプリング前記該連結軸の少なくとも一方に巻回されていることを特徴とするデッキプレート用耐震型ハンガー金具。
【発明の詳細な説明】
【０００１】
【発明の属する技術分野】
本発明はデッキプレート用耐震型ハンガー金具に係り、詳しくは、合成床板を形成したデッキプレートに吊り天井構造が施工される際、デッキプレートに野縁受け等を吊り下げるために使用されるハンガー金具に関するものである。
【０００２】
【従来の技術】
デッキプレートは峰部水平条辺と谷部水平条辺とが傾斜ウエブ条辺を介して繰り返すように連続し、一定の断面形状を保った幾つかの条部を有した鋼製の波形プレートであり、例えば鉄骨梁上に多数並べるようにして渡され、その上面にコンクリートを打設し建築物の合成床板を形成させることができる。
【０００３】
図７に示すように、打設されたコンクリート３１と複合して合成床板３２を形成する合成スラブ用デッキプレート１の下面には天井構造が施工されるが、最近では、傾斜ウエブ条辺１Ｒに長手方向へ延びるように設けた補剛リブ１Ｍの凹み部１ｍおよび補剛リブ１Ｎの凹み部１ｎを利用してハンガー３３を取りつけ、そのハンガーを介した吊り天井構造の採用されることが多くなっている。
【０００４】
そのハンガーの一例が、実公平６−４２０１６号公報に記載されている。これは、図８の（ａ）に示すように、ハンガー３３が一つの条部１Ａの上部を形成する峰部水平条辺１Ｐの下方空間に架設され、全体として上方に湾曲または屈曲している横架部材３４と、この横架部材の中央部に位置するねじ孔３４ａに上端部を螺着させて垂下する吊りボルト４とからなっている。その吊りボルトの下端部には図７に示した吊り金具３５を介して野縁受け３６が取りつけられ、その野縁受けにクリップ等を介して野縁３７が固定され、野縁の下に図示しない天井板が張りつけられる。
【０００５】
このような吊り天井構造において、上記した横架部材３４は図８の（ｂ）に示す平面矢視では略短冊状をなしている。その左右長さは補剛リブ１Ｍ，１Ｎの対向する凹み部１ｍ，１ｎに掛け渡されるに十分な長さである必要があり、補剛リブ１Ｍの下部突起１ｒ，１ｒの先端が対向する距離Ｌ1 よりも少し長く選定される。
【０００６】
それゆえに、取付姿勢のままでは横架部材３４を凹み部１ｍ，１ｎに嵌めることができないので、二点鎖線のように各条部１Ａの延びる長手方向に対して斜めに配置し、その後に矢印３８方向へ回転させて、図８の（ｃ）のように、その端部を凹み部１ｍ，１ｎに嵌め込んでいる。なお、この嵌め込み操作を円滑なものとするために、横架部材３４の自由状態での左右長さは、凹み部１ｍ，１ｎの底間距離Ｌ2 （図８の（ｂ）を参照）よりも少し短くなっている。
【０００７】
次に、吊りボルト４をねじ孔３４ａに螺着させ、図８の（ａ）のように吊りボルト４の上端を峰部水平条辺１Ｐの下面に強く当接させると、横架部材３４は二点鎖線の状態から実線で示したように中央部が押し下げられ、湾曲または屈曲した状態がやや緩やかとなりながら、横架部材３４の両端部が凹み部１ｍ，１ｎに強く押しつけられる。したがって、横架部材が突っ張ったようになり、補剛リブ１Ｍ，１Ｎおよび峰部水平条辺１Ｐの三箇所からの反力によってハンガー３３が確実にデッキプレート１に固定され、天井板等を吊り下げる構造を強固なものとしておくことができる。
【０００８】
上記した構造によれば、ハンガーの形状が単純であって製作が容易となり、また、デッキプレートへの取付作業も位置を変えたい場合の取外操作も簡単なものとなる利点がある。すなわち、図７を参照して、各吊り金具３５に野縁受け３６を取りつける際に例えばハンガー３３Ｂの取付位置を少し変更したい場合、吊りボルト４を逆回転させて上端を下げる。横架部材３４Ｂが自由状態に戻って補剛リブ１Ｍ，１Ｎによる拘束が解かれると、横架部材３４Ｂを横架部材３４Ａと一直線をなす位置等に移すことができる。
【０００９】
【発明が解決しようとする課題】
これから分かるように、ハンガー３３をデッキプレート１に回転して取りつける場合、自由状態にある横架部材３４と補剛リブ１Ｍの凹み部１ｍの底との間や補剛リブ１Ｎの凹み部１ｎの底との間に、図８の（ｂ）に示した隙間Ｃが必要となる。ところが、地震等の振動によって吊りボルト４が弛むと、取外作業の場合と同様に、前記した強固な三点支持が解放されることになる。甚だしくは、横架部材３４が矢印３８とは反対方向へ少し回転すると、補剛リブ１Ｍ，１Ｎから脱落するおそれが生じる。
【００１０】
このような問題を解消したものとして、本出願人は図９に示すような天井吊りハンガーを特開平９−２５６５３１号において提案した。これは耐震性のあるハンガーであって、図９の（ａ）にあるように、横架部材４０が、左右それぞれに傾斜面部４１Ａ，４１Ｂを有する横架プレート４１と、一方の傾斜面部４１Ａに沿って摺接変位するスライドプレート４２とを備えたものとなっている。
【００１１】
横架プレート４１は、その一方の傾斜面部４１Ａが補剛リブ１Ｍの凹み部１ｍに届かない長さに選定され、他方の傾斜面部４１Ｂの先端は他方の凹み部１ｎに嵌め込まれる長さとなっている。スライドプレート４２は一方の傾斜面部４１Ａに摺接可能に係合して、凹み部１ｍに向けて変位することができるものである。その一方端は横架プレート４１の傾斜面部４１Ａの先端部から突出して凹み部１ｍに嵌め込まれ、図９の（ｂ）に示すように、他方端には吊りボルト４に当接してスライドプレート４２の後退を阻止する係止部４２ｃが形成されている。
【００１２】
まず、スライドプレート４２を退避させた状態で図９の（ａ）のように横架部材４０をデッキプレート１に配置し、スライドプレート４２を矢印４３方向へ摺動させて、横架部材４０の両先端を確実に補剛リブ１Ｍ，１Ｎの凹み部１ｍ，１ｎに奥深く密着するように嵌め込む（図示せず）。その状態で吊りボルト４を横架プレート４１のねじ孔４０ａに螺着させると、吊りボルト４の側面がスライドプレート４２の他方端の係止部４２ｃと係合した状態となって、スライドプレートの以後の変位が阻止される。
【００１３】
吊りボルト４を螺進させて、図示しないが、上端を峰部水平条辺１Ｐの下面に強く当接すれば、スライドプレート４２と一体化されている横架プレート４１の中央部が押し下げられ、ハンガーは上と左右の三点からの反力によって強く固定される。たとえ、吊りボルト４が弛むようなことがあっても、吊りボルトがねじ孔４０ａから脱落するほどまでに大きく弛まないかぎりスライドプレート４２は拘束される。ハンガーは補剛リブ１Ｍ，１Ｎの凹み部１ｍ，１ｎに密着した状態を維持し、少々の振動等を受けてもデッキプレート１から外れることがない。
【００１４】
このようなスライドプレートを備えた天井吊りハンガーは耐震性能が良く、高い評価を得ているが、以下のような難点は免れない。ハンガーを構成する部品が大きく二つ存在することになるが、スライドプレートには摺動を可能にすると共に取付操作前に横架部材からの脱落を防止しておく機構が必要となり、構造が複雑化する。
【００１５】
スライドプレートは、その先端が凹み部１ｍに嵌め込まれた後に、その係止部４２ｃが吊りボルト４の側面に当接した状態となる（図９の（ｂ）を参照）はずであるが、凹み部１ｍ，１ｎの底間距離Ｌ2 （図８の（ｂ）を参照）が合成床板施工後に多少寸法変化することがあるので、その底間距離が所望寸法に比べて長ければ、係止部４２ｃと吊りボルト４との間に隙間が残ってガタつくといったことが起こる。逆に短ければ、係止部４２ｃが吊りボルト４を凹み部１ｎの方向へ押すことになって、吊りボルト４の姿勢が垂直に保たれなくなる。甚だしい場合には、吊りボルト４を横架部材４０のねじ孔に取りつけることすらできないといったことも起こる。
【００１６】
ところで、ハンガーは図４の場合と同様の図１０の（ａ）のように、傾斜面部相互の交差角θは１５０度前後となる。例えば図１０の（ｂ）のように交差角が６０度の横架部材３４Ｍであると、吊りボルトに作用する荷重をＷとした場合の傾斜面部３４ｐ，３４ｑに作用する軸力はＷ／√３＝０．５８Ｗであり、安全率を５とすれば２．９Ｗに耐える傾斜部材断面を与えておけばよい。
【００１７】
しかし、デッキプレートの一つの条部１Ａにおける峰部水平条辺１Ｐの下方空間は、その高さが左右の傾斜ウエブ条辺１Ｒ，１Ｒの間隔よりも短いのが一般的である。それゆえに、交差角を１２０度にしておくことすら容易でなく、１２０度を越えると軸力はＷより大きくなる。例えば図１０の（ａ）のように１５０度の交差角の場合には、軸力はＷ／（２× cos75°）＝１．９Ｗ≒２Ｗとなる。安全率を５とすれば１０Ｗにも耐える傾斜部材断面が要求されることになる。
【００１８】
上の説明から分かるように、傾斜面部は大きい軸力に耐える構造にしておく必要がある。しかし、いずれの例においても、左右の傾斜面部が中央部と直接連続しているために、吊りボルトが傾斜して配置されることによって傾斜面部が吊りボルトに対して左右非対称となった場合には、吊りボルトに作用した荷重が左右の傾斜面部へ等分に分散されなくなる事態が生じる。したがって、一方の傾斜面部に荷重が集中しても、それに耐え得る強度や剛性を各傾斜面部に与えておかなければならない。すなわち、それぞれの傾斜面部に最大２０Ｗに耐える傾斜部材断面を与えるべく、傾斜面部の板厚の増大が余儀なくされる。
【００１９】
本発明は上記した背景に鑑みなされたもので、その目的は、デッキプレートへのハンガーの取付操作が極めて簡便であること、振動等によって吊りボルトが弛むことがあっても横架部材が補剛リブの凹み部からは外れない状態に維持しておくことが可能であること、荷重の偏りに基因した傾斜面部の不等分担に備えて両方の傾斜部材に予め過大な強度を与えておく必要がないこと、人為的に取り外す場合には手軽な操作によりデッキプレートから取り除くことができることを実現したデッキプレート用耐震型ハンガー金具を提供することである。
【００２０】
【課題を解決するための手段】
本発明は、峰部水平条辺と谷部水平条辺とが傾斜ウエブ条辺を介して繰り返すように連続する一定の波形断面を有して長手方向へ延びる合成スラブ用デッキプレートの下方で天井下地を吊設するためのハンガーである。これは、傾斜ウエブ条辺に長手方向へ延びるように設けた補剛リブの対向する二つの凹み部を利用して峰部水平条辺の下方空間に架設され、中央部から各先端部に向けて下がった傾斜面部を備える横架部材と、その横架部材の中央部に位置するねじ孔に上端部を螺着させて垂下する下端部に吊り金具が装着されるようになっている吊りボルトとを備えるハンガー金具に適用される。その特徴とするところは、図１を参照して、横架部材３は、吊りボルト４を螺着させるねじ孔７が形成された吊りボルト支持部材５と、その吊りボルト支持部材とは別体であって左下方へ傾斜もしくは湾曲して延びる左傾斜部材６Ｌと、右下方へ傾斜もしくは湾曲して延びる右傾斜部材６Ｒとを有する。吊りボルト支持部材５には、左傾斜部材６Ｌと右傾斜部材６Ｒとを連結する関節部材が設けられると共に、左傾斜部材６Ｌと右傾斜部材６Ｒとの間には、両傾斜部材の交差角θを拡げる方向に弾発力を及ぼすコイルスプリング９が介装される。そして、関節部材は、吊りボルト４に直交するデッキプレートの長手方向においてねじ孔７に向かうように延びて相互に対向する一対の連結軸１０Ａ，１０Ｂであり、その連結軸は左傾斜部材６Ｌと右傾斜部材６Ｒとの連結部に形成したフランジ部１１，１２に枢支されている。左傾斜部材６Ｌおよび右傾斜部材６Ｒの基端には、連結部において吊りボルト４との干渉を避けるためおよび傾斜部材に一定範囲で自由な交差角θを与えることができるようにするための切り欠き１７が設けられる。そして、コイルスプリングは連結軸１０Ａ，１０Ｂの少なくとも一方に巻回されていることである。
【００２１】
【発明の効果】
本発明によれば、デッキプレートの峰部水平条辺の下方に配置されたハンガーの例えば右傾斜部材の先端を補剛リブの凹み部に載せ、その先端を支点にして左傾斜部材を押し上げれば連結軸を中心にして左傾斜部材が曲がり、その先端を凹み部に嵌着させることができる。吊りボルトをねじ孔に螺進させ上端を峰部水平条辺の下面に当接させると吊りボルト支持部材が押し下げられ、ハンガーは上と左右の三点から大きい反力を受けて強く固定される。吊りボルトが弛んだりハンガーが回転力を受けるようなことがあっても、コイルスプリングに蓄えられた弾発力によって各先端は補剛リブの凹み部に密着した状態に保持される。横架部材の位置が変化したりガタついたり、外れるといったことが可及的に少ない耐震性の高いハンガー金具となる。
【００２２】
横架部材のみを単独でデッキプレートに取りつけることもできるが、吊りボルトを横架部材に予め螺着させた状態においてもデッキプレートに取りつける操作が可能となる。この場合、吊りボルトを把持した片手だけで簡単に操作することができる利点がある。一方、ハンガーをデッキプレートから外すときは、吊りボルトを弛めた後にそれを斜めに押し上げるなどすれば、各傾斜部材の姿勢が変わり、いずれか一方の傾斜部材をコイルスプリングに抗して引き下げれば、簡単に補剛リブから離脱させることができる。
【００２３】
連結軸は吊りボルトを含む線上で対向するように配置されるので、横架部材が力を受ける各位置は理屈上点となり、完全なスリーヒンジアーチを形成する。そのために、吊りボルトに作用する荷重は左右の傾斜部材へ等分に分散され、力が一方の傾斜部材に偏って働くことはなくなる。すなわち、吊りボルトがたとえ垂直になっていなくても、ピンを介して荷重が自ずと相等しい軸力となって傾斜面部に伝達される。それゆえ、不等分担に備えて、両方の傾斜部材に予め過剰な強度や剛性を与えておく必要もなくなる。
【００２４】
連結軸が各傾斜部材に形成したフランジ部に枢支されるので、連結軸による両傾斜部材の連結が確実となるだけでなく、連結軸支持部に高い曲げ剛性を与えておくことができる。
【００２５】
【発明の実施の形態】
以下に、本発明に係るデッキプレート用耐震型ハンガー金具を、その実施の形態を表した図面をもとにして詳細に説明する。図３および図４は、階上床構造を形成するためのデッキプレートの一つの条部にハンガーを取りつける手順を示している。このデッキプレート１の条部１Ａは、図３の（ａ）に示すように、峰部水平条辺１Ｐと谷部水平条辺１Ｑとが傾斜ウエブ条辺１Ｒを介して繰り返すように連続する一定の波形断面を有し、長手方向すなわち紙面に垂直な方向へ延びている。ハンガー２は合成スラブ用デッキプレート１の下方で天井下地を吊設するためのものであり、傾斜ウエブ条辺１Ｒに長手方向へ延びるように設けた補剛リブ１Ｍ，１Ｎの対向するそれぞれの凹み部１ｍ，１ｎを利用して峰部水平条辺１Ｐの下方空間に架設される。
【００２６】
ハンガー２は、全体として上方に湾曲または屈曲している横架部材３と、その横架部材に上端部が螺着される吊りボルト４とを備えている。横架部材３は、図１に示すように、吊りボルト支持部材５と、この吊りボルト支持部材とは別体の二つの傾斜部材６Ｌ，６Ｒとからなる。図２の（ａ）に示すように、吊りボルト支持部材５は吊りボルトを螺着させるねじ孔７が中央に形成された例えばブロックである。これは、金属や強化プラスチック等の成形品によって得ることができる。なお、この成形品は傾斜部材の下面に取りつけられるので、それらとは干渉しない形状となっている。
【００２７】
図１に示すように、傾斜部材の一方は吊りボルト支持部材５から左下方へ傾斜もしくは湾曲して延びる左傾斜部材６Ｌであり、他方は吊りボルト支持部材から右下方へ傾斜もしくは湾曲して延びる右傾斜部材６Ｒである。各傾斜部材は例えばプレス成形鋼板であり、図２の（ｂ）のごとく、２５ないし３５ミリメートル程度の幅と９０ミリメートル程度の長さの平面矢視で短冊状となっている。
【００２８】
なお、補剛リブの凹み部に嵌め込まれる各傾斜部材の先端の縁辺８Ｌ，８Ｒは直線状であっても差し支えないが、横架部材３にハンガーとしての機能を発揮させやすくするために、突起８ｍ，８ｎを形成しておくとよい。この突起は言うまでもなく、各凹み部における長手方向への横架部材の意図しないずれを防止するように機能する。
【００２９】
上記した吊りボルト支持部材５には、左傾斜部材６Ｌと右傾斜部材６Ｒとを連結する関節部材が設けられる。そして、左傾斜部材６Ｌと右傾斜部材６Ｒとの間には、図１に示す両傾斜部材の交差角θを拡げる方向に弾発力を及ぼすばね部材９が介装される。関節部材としては、吊りボルト４に直交するデッキプレートの長手方向において、ねじ孔７に向かうように延びて相互に対向する一対の連結軸１０Ａ  １０Ｂが採用されている。この各連結軸は、左傾斜部材６Ｌと右傾斜部材６Ｒとの連結部において側部下方へ折り曲げて形成したフランジ部１１，１２に枢支される。そのため、各フランジ部には連結軸１０Ａ，１０Ｂが挿通する支持孔１３，１４（図２の（ｂ）を参照）が形成されている。
【００３０】
この２本で一対をなす連結軸１０Ａ，１０Ｂは、後述する理由により上下方向へ延びるねじ孔７の軸線を含む垂直面に一致した位置にあることが好ましい。そこで、連結軸が吊りボルト４と干渉しないようにするために、対向する二本の支持ピンが採用される。
【００３１】
ばね部材９は支持ピン１０Ｂに巻回されるコイルスプリングであり、左傾斜部材６Ｌおよび右傾斜部材６Ｒに弾発力を及ぼすべく、スプリング端９Ｌ，９Ｒが吊りボルトと干渉しない位置で、各傾斜部材の下面へ延ばされている。このようなコイルスプリングを採用しておけば、支持ピンに巻回させておくだけで傾斜部材の復元が簡単になされる。
【００３２】
支持ピン１０Ａ，１０Ｂは図２の（ａ）に示すように、吊りボルト支持部材５に設けた軸支孔１５に圧入される。詳しくは、図５のように傾斜部材の各フランジ部１１，１２から挿入された支持ピンが、軸支孔１５で固定される。なお、支持ピンは予め頭部を有したものでもよいが、圧入した後に膨径加工してもよい。いずれにしても、頭部１０ａによってフランジ部が拡がるのを抑制しておくことができる。
【００３３】
ところで、両傾斜部材６Ｌ，６Ｒに図１のように左右に延びるエンボス１６を形成しておけば、フランジ部１１，１２と共に薄い傾斜部材の面剛性を高めて、軽量化が図られる。もちろん、フランジ部に枢支された支持ピンによる両傾斜部材の連結も強固なものとなる。このような傾斜部材は、その連結部において吊りボルト４との干渉を避けるため、および傾斜部材に一定範囲で自由な交差角θを与えることができるようにするため、両傾斜部材の基端には切り欠き１７が設けられる。
【００３４】
以上述べたデッキプレート用耐震型ハンガー金具の構造としておくと、横架部材３を水平に回転させるまでもなくまた図９のところで述べた補助的なプレート４２をスライドさせることなく、ワンタッチ操作によってハンガー２をデッキプレートに取りつけることができる。図３および図４を参照して、まず、図３の（ａ）のように左傾斜部材６Ｌをやや下にして右傾斜部材６Ｒの先端を右の凹み部１ｎに載せる。
【００３５】
次に、凹み部１ｎに嵌着させた縁辺８Ｒを支点にして、左傾斜部材６Ｌを押し上げ、図３の（ｂ）のように、その先端を左の凹み部１ｍを形成した下部突起１ｒの先端に当接させる。さらに強く押し上げると、左傾斜部材６Ｌはコイルスプリング９の弾発力に抗して図３の（ｃ）のように支持ピン１０Ａ，１０Ｂを中心に角度αだけ回動する。すなわち、傾斜ウェブ条辺１Ｒが存在しなければ左傾斜部材６Ｌが到達するはずの仮想線で示した位置から、実線の位置まで姿勢を変える。
【００３６】
この操作によって、左傾斜部材６Ｌの支持ピン１０Ａ，１０Ｂからの水平射影距離が短くなり、先端が下部突起１ｒを越え、コイルスプリング９の復元力によって図４の（ａ）のように凹み部１ｍに嵌着する。そして、図４の（ｂ）のように、吊りボルト４を下方からねじ孔７に差し込ん、吊りボルトの先端が峰部水平条辺１Ｐの下面に当接するまで螺進させる。図８の（ａ）で述べた場合と同様に吊りボルト支持部材５が少し押し下げられ、これによって、横架部材３には左右方向への圧縮力が作用してそれが凹み部１ｍ，１ｎで受け止められる。
【００３７】
このようにして、ハンガー２は峰部水平条辺１Ｐの下部空間において、スリーヒンジアーチを形成した三点支持による強固な支持状態となる。以後、天井下地を吊りボルト４の下端部に取りつけることができる。ハンガー２の取付位置をずらす場合には、吊りボルト４を弛めて横架部材３を補剛リブに沿って平行移動させればよい。
【００３８】
また、ハンガーを外す場合には、吊りボルト４の弛められたハンガーを、図示しないが右傾斜部材６Ｒの先端を支点にして時計方向へ回動させればよい。すなわち、先端を凹み部１ｍから少し外れた位置にした状態で、支持ピン１０Ａ，１０Ｂを中心にして左傾斜部材６Ｌを手でもって反時計方向へ少し回動させ、その後に横架部材３の全体を峰部水平条辺１Ｐの下部空間から除去すればよい。
【００３９】
上記した取付手順において、図のごとく横架部材３に予め吊りボルト４を螺着しておくことができる。その場合には、作業者は吊りボルト４の下部を握って一連の操作を簡単に行うことができる。ねじ孔７に吊りボルト４を螺合させる操作は横架部材３をデッキプレート１に取りつける前にしておくことができるので、作業者が天井を仰きながら吊りボルト４をねじ孔７に螺着させるといった負担の大きい作業も回避することができる。そして、吊りボルトを握った片手だけでの嵌着操作も可能となり、作業の円滑化が図られる。
【００４０】
ハンガー２は上記したごとく三点支持による固定となっているが、支持ピンは吊りボルトを含む線上で対向するように配置されるので、横架部材が力を受ける各位置は理屈上点となる。このように完全なスリーヒンジアーチが形成されていると、吊りボルトが傾いて取りつけられることがあっても、吊りボルトに作用した荷重は左右の傾斜部材へ自ずと等分に伝達される。すなわち、荷重が一方の傾斜部材に偏ることはなく、したがって不等分担に備えて各傾斜部材に過大な強度や剛性を与えておく必要がない。これによって、前述した２０Ｗの半分の１０Ｗに耐える傾斜部材断面を備えた傾斜部材としておくことができる。
【００４１】
例えば地震等によってデッキプレート１に振動が加わったり、天井下地等からの揺れが吊りボルト４に作用して少し弛むと、峰部水平条辺１Ｐからの反力が得られなくなる。この場合に横架部材３は補剛リブ１Ｍ，１Ｎに単に載った状態となるのではなく、コイルスプリング９の弾発力によって両先端が凹み部１ｍ，１ｎに付勢された状態を維持する。したがって、横架部材３が補剛リブ１Ｍ，１Ｎに対して弛むことはなく、また横架部材３が回転して外れることもほとんどない高い耐震性が発揮される。
【００４２】
ちなみに、吊りボルト支持部材５は上記した金属ブロックに限らず、図６に示すようなブラケット１８としてもよい。これはダイカスト品によって簡単かつ大量に製作することができる。また、板金成形品としてもよく、その場合には図示しないがナットを溶接しておいたり、バーリング成形部の内面に吊りボルト用のねじ孔を刻設しておけばよい。
【００４３】
以上は、連結軸を吊りボルト支持部材に取りつけるときの利便を図るために、傾斜部材のフランジ部から吊りボルト支持部材に向けて支持ピンを差し込む構造としている。しかし、連結軸が吊りボルト支持部材と予め一体になったものであってもよい。フランジ部を成形する際に連結軸を挿通させ、その後に端部を膨径加工すればよい。
【００４４】
連結軸として支持ピンを使用することに代えて、ねじ体とすることもできる。図示しないがボルトを採用し、吊りボルト支持部材の側面に、前記した軸支孔１５（図２を参照）に代わる軸支ねじ孔を形成しておき、ねじロック剤を塗布したボルトを軸支ねじ孔に螺着させればよい。
【００４５】
以上の説明から分かるように、横架部材を水平面内で回転させることなく、またスライドプレートといった別部材を変位させる手間もなく横架部材をデッキプレートに配置し、一方の傾斜部材の先端を予め補剛リブの他方の凹み部に嵌着させた状態で補剛リブの凹み部を形成する下部突起の下方に他方の傾斜部材の先端を押し当てるか、両傾斜部材を同時に両下部突起の下方から押し当てるなどすれば、ばね部材による変形によって横架部材をデッキプレートに簡単に取りつけることができる。
【００４６】
横架部材が補剛リブに嵌着された状態においては、ばね部材の復元力によって一応の固定状態が達成される。吊りボルトをねじ孔に螺進させ上端を峰部水平条辺の下面に当接すると、横架部材の中央部が少し押し下げられ、ハンガーは上と左右の三点で大きい反力を受けることになり、固定は確実なものとなる。
【００４７】
吊りボルトが弛むことがあっても、ばね部材の弾発力により横架部材の位置は変化することがないのでハンガーと補剛リブとの密着は維持され、ハンガーがガタつくことのない高い耐震性能が備えられる。長手方向へ延びる補剛リブの凹み部に対して、ある程度の幅を有した縁辺が少なくとも多点接触もしくは線接触していることから、何らかの理由で回転力を受けても横架部材が回り出して外れるということもない。ハンガーをデッキプレートから取り外すときは、吊りボルトの上端部を降ろし横架部材をばね部材によって変形させればよい。ハンガーの取付位置を変更することも簡単に行うことができるようになる。
【図面の簡単な説明】
【図１】本発明に係るデッキプレート用耐震型ハンガー金具の斜視図。
【図２】（ａ）はハンガーに使用される吊りボルト支持部材の一例を示す斜視図、（ｂ）はハンガーの平面図。
【図３】ハンガーのデッキプレート取りつけ手順を示し、（ａ）は初期の配置図、（ｂ）は左傾斜部材を補剛リブの下部突起の先端に臨ませたときの操作図、（ｃ）はばね部材の弾発力に抗して左傾斜部材を押し下げた状態を表す配置図。
【図４】図３の（ｃ）以降の工程を示し、（ａ）は横架部材を補剛リブに嵌着させた状態の配置図、（ｂ）は吊りボルトを螺進させてハンガーをデッキプレートに固定した後の取付図。
【図５】連結軸を吊りボルト支持部材に固定した状態の断面図。
【図６】吊りボルト支持部材の他の例の斜視図。
【図７】デッキプレートにハンガーを装着し、ハンガーに天井下地を吊り下げるための構造の立体図。
【図８】（ａ）は従来のハンガーをデッキプレートに取りつけた状態の配置図、（ｂ）は横架部材を斜めの姿勢でデッキプレート下に配置し、回転することによって補剛リブの凹み部に取りつける操作を説明する平面図、（ｃ）は横架部材を凹み部に載せた状態の配置図。
【図９】スライドプレートを有した先行技術におけるハンガーを示し、（ａ）はデッキプレートに臨ませた状態を表した操作図、（ｂ）はそのハンガーの平面図。
【図１０】一つの条部にハンガーを取りつけた場合の傾斜面部の交差角の違いにより、傾斜面部に作用する軸力の大小を説明する模式図。
【符号の説明】
１…デッキプレート、１Ｐ…峰部水平条辺、１Ｑ…谷部水平条辺、１Ｒ…傾斜ウエブ条辺、２…ハンガー、１Ｍ，１Ｎ…補剛リブ、１ｍ，１ｎ…凹み部、３…横架部材、４…吊りボルト、５，５Ａ，５Ｂ…吊りボルト支持部材、６Ｌ…左傾斜部材、６Ｒ…右傾斜部材、７，７Ａ…ねじ孔、９…ばね部材（コイルスプリング）、１０Ａ  １０Ｂ…連結軸（支持ピン）、１１，１２…フランジ部、１７…切り欠き、θ…交差角。
【図１】
0003578670.tif 000002
【図２】
0003578670.tif 000003
【図３】
0003578670.tif 000004
【図４】
0003578670.tif 000005
【図５】
0003578670.tif 000006
【図６】
0003578670.tif 000007
【図７】
0003578670.tif 000008
【図８】
0003578670.tif 000009
【図９】
0003578670.tif 000010
【図１０】
0003578670.tif 000011